(57)【特許請求の範囲】
【請求項１】
相互に隣接した４つの周壁面（２ａ），（２ｂ），（２ｃ），（２ｄ）、１つの底面（３）及び開口部（４）とからなる枡型をなし、対向した一対の周壁面（２ａ），（２ｃ）間の開口部（４）寄りの位置にノ−ズパッド脚枢支ネジ（７）を取付けたパッドボックス本体（１）の前記周壁面（２ａ），（２ｃ）に隣接した一対の周壁面（２ｂ），（２ｄ）間の前記ノーズパッド脚枢支ネジ（７）に対して底面（３）寄りの位置にパッドア−ム（９）を挿通できるパッドア−ム挿通孔（１０）を設け、該パッドア−ム挿通孔（１０）の内側側縁から開口部（４）に向ってそれぞれスリット（１２）を設けたことを特徴とするパッドボックス。
【請求項２】
相互に隣接した４つの周壁面（２ａ′），（２ｂ′），（２ｃ′），（２ｄ′）、１つの底面（３′）及び開口部４とからなる枡型をなし、対向した一対の周壁面（２ａ′），（２ｃ′）間にノ−ズパッド脚枢支ネジ（７）を取付けたパッドボックス本体（１′）の底面（３′）及び前記周壁面（２ａ′），（２ｃ′）に隣接した一対の周壁面（２ｂ′），（２ｄ′）の底面（３）寄りの位置にパッドア−ム（９）を挿通できるパッドア−ム挿通孔溝（１４）を形成し、該パッドア−ム挿通溝（１４）に接した一方の周壁面（２ｂ′）又は（２ｄ′）の側縁から開口部４に向ってスリット（１５）を設けたことを特徴とするパッドボックス。
【発明の詳細な説明】
【０００１】
【発明の属する技術分野】
この発明はメガネの構成部品の一つであるパッドボックス、詳しくはフレ−ムから植設されたパッドア−ムにノ−ズパッドを取り付ける為のパッドボックスに関するものである。
【０００２】
【従来の技術】
枡型をなし、ノ−ズパッドの脚の先端をその内側に収容してこれを枢支するパッドボックスはメガネの重要な構成部品であるが、一般にパッドボックスはメガネフレ−ムから植設されたパッドア−ムの先端にろう付け固定されており、パッドア−ムとの位置関係を変更することは構造的に不可能であった。
【０００３】
【発明が解決しようとする課題】
パッドボックスによって支持されるノ−ズパッドは、メガネをメガネ使用者の鼻にフィットさせる重要な部品であり、良好な装着感を得る為には一人として同じではない各メガネ使用者の鼻の位置、寸法に合せてその位置を微調整することが是非とも必要である。このとき、ノ−ズパッドをメガネフレ−ム本体に対して前後、左右に移動させることはパッドア−ムを曲げ直すことにより比較的簡単に実施できるが、上下方向に移動させることはむずかしく、一般のメガネ小売店ではこの上下方向の位置変更作業はほとんど不可能であった。
【０００４】
特に、遠近両用メガネにおいてはレンズの上下位置を微妙に調整する必要があるが、一般のメガネ小売店の技術レベルではこの上下位置の微調整は容易ではない為、調整が不十分なまま顧客に引き渡して装用させているケ−スも多く見受けられる。本発明者は、ノ−ズパッドの上下位置を簡単に変更調整できる機構を研究した結果、ノ−ズパッドを枢支するパッドボックスをパッドア−ムに対して移動可能にすることにより、ノ−ズパッドの上下位置の変更調整を可能にすることに成功し、その機構を本発明としてここに提案するものである。
【０００５】
【課題を解決するための手段】
相互に隣接した４つの周壁面２ａ，２ｂ，２ｃ，２ｄ、１つの底面３及び開口部４とからなる枡型をなし、対向した一対の周壁面２ａ，２ｃ間の開口部４寄りの位置にノ−ズパッド脚枢支ネジ７を取付けたパッドボックス本体１の前記周壁面２ａ，２ｃに隣接した一対の周壁面２ｂ，２ｄ間の前記ノーズパッド脚枢支ネジ７に対して底面３寄りの位置にパッドア−ム９を挿通できるパッドア−ム挿通孔１０を設け、該パッドア−ム挿通孔１０の内側側縁から開口部４に向ってそれぞれスリット１２を設けることにより、又、相互に隣接した４つの周壁面２ａ′，２ｂ′，２ｃ′，２ｄ′、１つの底面３′及び開口部４とからなる枡型をなし、対向した一対の周壁面２ａ′，２ｃ′間にノ−ズパッド脚枢支ネジ７を取付けたパッドボックス本体１′の底面３′及び前記周壁面２ａ′，２ｃ′に隣接した一対の周壁面２ｂ′，２ｄ′の底面３寄りの位置にパッドア−ム９を挿通できるパッドア−ム挿通溝１４を形成し、該パッドア−ム挿通溝１４に接した一方の周壁面２ｂ′又は２ｄ′の側縁から開口部４に向ってスリット１５を設けることにより、上記課題を解決せんとするものである。
【０００６】
【発明の実施の形態】
図１はこの発明に係るパッドボックスの第一の実施の形態の拡大斜視図、図２は図１において矢視Ａ方向から見たその正面図。図３は図１において矢視Ｂ方向から見たその平面図である。図中１はパッドボックス本体であり、相互に隣接した４つの周壁面２ａ，２ｂ，２ｃ，２ｄ、一つの底面３及び開口部４とからなる枡型をしている。そして、図３に示す様に、対向した一対の周壁面２ａ，２ｃ間の開口部４寄りの位置にはノ−ズパッド５の脚６の先端を枢支するノ−ズパッド脚枢支ネジ７が取付けられている。なお、図中８はノ−ズパッド脚枢支ネジ７に螺合する為、周壁面２ｃにあけられているめネジ部である。
【０００７】
そして、同じく、図３に示す様に、前記周壁面２ａ，ａｃにそれぞれ隣接した一対の周壁面２ｂ，２ｄ間の前記ノーズパッド脚枢支ネジ７に対して底面３寄りの位置にはそれぞれパッドア−ム９を挿通できるパッドア−ム挿通孔１０が設けられている。この実施の形態においてパッドア−ム９は四角形の断面をなしているので、このパッドア−ム挿通孔１０もそれに対応して四角形をなしている。更に、このパッドア−ム挿通孔１０の側縁１１から開口部４側にスリット１２がそれぞれ設けられている。つまり、このスリット１２は、周壁面２ｂ，２ｄの中央部を縦断していることになる。なお、この実施の形態においては、図示の通り、パッドア−ム９の表面に細かい凹凸１３が設けられている。
【０００８】
この実施の形態は上記の通りの構成を有するものであり、パッドボックス本体１の周壁面２ｂ，２ｄのパッドア−ム挿通孔１０、１０にパッドア−ム９を挿通すると共に、開口部４からこのパッドボックス本体１の内側にノ−ズパッド５の脚６を挿入し、ノ−ズパッド脚枢支ネジ７を周壁面２ａ，２ｃ間に通し、これを締め付けるとスリット１２、１２が狭まり、パッドボックス挿通孔１０の周縁がパッドア−ム９の凹凸１３に喰い込み、パッドボックス本体１はパッドア−ム９に固定されることになる。一方、ノ−ズパッド脚枢支ネジ７を緩めれば、スリット１２、１２の幅は広がり、パッドボックス本体１はパッドア−ム９に対して、その上下方向にスライド可能となる。従って、任意の位置でノ−ズパッド本体１を固定することができ、一旦固定した後の位置変更も自由に行うことができる。
【０００９】
次に、この図４乃至図７に基づいてこの発明に係るパッドボックスの第二の実施の形態について説明する。この第二の実施の形態においては、パッドボックス本体１′の底面３′及びこれに隣接した一対の周壁面２ｂ′，２ｄ′の底面３′寄りの位置に、パッドア−ム９を挿通できるパッドア−ム挿通溝１４が形成されており、このパッドア−ム挿通溝１４に接した一方の周壁面２ｂ′又は２ｄ′には開口部４に向ってスリット１５が形成されている。つまり、このスリット１５は周壁面２ｂ′又は２ｄ′を縦断した状態になっている。他の部分は、前記第一の実施の形態と同じであるので同一符号を付して説明を省略する。
【００１０】
この第二の実施の形態は上記の通りの構成を有するものであり、パッドア−ム挿通溝１４にパッドア−ム９を挿通すると共に、パッドボックス本体１の内側にノ−ズパッド５の脚６を挿入し、ノ−ズパッド脚枢支ネジ７を締め付けると、スリット１５の幅が狭まり、第一の実施の形態と同様にパッドボックス本体１にパッドア−ム９が固定される。一方、ノ−ズパッド脚枢支ネジ７を緩めるとパッドボックス本体１とパッドア−ム９との係合関係は解除されるので、パッドボックス本体１のパッドア−ム９に対する位置は自由に変更することができる様になる。この第二の実施の形態においては、第一の実施の形態におけるパッドア−ム挿通孔の代りにパッドア−ム挿入溝１４を用いているので、パッドア−ム９の位置をより外側にずらし、パッドア−ム脚枢支ネジ７とパッドア−ム９の側面の干渉を防ぐことができ、結果としてパッドア−ム本体１′の幅をより小さくしてコンパクト化することが可能となる。
【００１１】
【発明の効果】
この発明に係るパッドボックスは上述の通りの構成を有するものであり、ノ−ズパッド脚枢支ネジを緩めたり締め付けたりすることにより、パッドボックスをパッドア−ムに対してスライドさせ、ノ−ズパッドのメガネフレ−ムに対する上下位置を自由に調整し、メガネを個々の使用者によりフィットさせることができる効果を有する。一方、一つのノ−ズパッド脚枢支ネジによってノ−ズパッドの枢支とパッドア−ムに対する固定とを同時に行っているので、部品点数も従来のものと変らず、製品コストも低く、組立て及び調整も容易であり、実用的価値において大変すぐれたものである。
【図面の簡単な説明】
【図１】  この発明に係るパッドボックスの第一の実施形態の斜視図。
【図２】  図１において矢視Ａ方向から見たその正面図。
【図３】  図１において矢視Ｂ方向から見たその平面図。
【図４】  この発明に係るパッドボックスの第二の実施形態の斜視図。
【図５】  図４において矢視Ｃ方向から見たその裏面図。
【図６】  図４において矢視Ｄ方向から見たその平面図。
【図７】  図４において矢視Ｅ方向から見たその底面図。
【図８】  その縦断面図。
【符号の説明】
１      パッドボックス本体
２ａ    周壁面
２ｂ    周壁面
２ｃ    周壁面
２ｄ    周壁面
３      底面
４      開口部
５      ノ−ズパッド
６      脚
７      ノ−ズパッド脚枢支ネジ
８      めネジ部
９      パッドア−ム
１０      パッドア−ム挿通孔
１１      側縁
１２      スリット
１３      凹凸
１４      パッドア−ム挿通溝
１５      スリット
【図１】
0004355061.tif 000002
【図２】
0004355061.tif 000003
【図３】
0004355061.tif 000004
【図４】
0004355061.tif 000005
【図５】
0004355061.tif 000006
【図６】
0004355061.tif 000007
【図７】
0004355061.tif 000008
【図８】
0004355061.tif 000009